(57)【要約】【課題】装置が大型化することの回避しつつ、表示部や記録媒体を撮影することができる撮影装置及び鏡を提供する。【解決手段】タブレット装置１０は、画面を表示する液晶表示装置２８と、液晶表示装置２８と同一平面に配置されたＣＣＤカメラ４０と、ＣＣＤカメラ４０で液晶表示装置２８の少なくとも一部分を撮影することができるように配置されている反射鏡５０とを有する。反射鏡５０は、タブレット装置１０に対して固定可能である。また、タブレット装置１０は、データを入力するために用いられるタッチパネル３０を有し、タッチパネル３０は液晶表示装置２８の重なるように配置されている。【選択図】図２
2014045328.tif 000002
【特許請求の範囲】
【請求項１】
画面を表示する表示部と、
前記表示部と同一平面上に配置された撮影部と、
前記撮影部で前記表示部の少なくとも一部を撮影することができるように配置されている鏡と、
を有する撮影装置。
【請求項２】
前記撮影部により撮影される被撮影物の前記表示部に対する位置を演算する位置演算部をさらに有する請求項１記載の撮影装置。
【請求項３】
前記撮影部により撮影される被撮影物の前記表示部に対する動作を演算する動作演算部をさらに有する請求項１又は２記載の撮影装置。
【請求項４】
前記位置演算部及び前記動作演算部の少なくともいずれか一方の演算結果に基づいて、前記表示部による表示を制御する表示制御部をさらに有する請求項２又は３記載の撮影装置。
【請求項５】
前記鏡は、前記撮影部近傍に固定可能である請求項１乃至４いずれか記載の撮影装置。
【請求項６】
データを入力するために用いられる入力部をさらに有し、
前記入力部は、前記表示部に重なるように配置されている請求項１乃至５いずれか記載の撮影装置。
【請求項７】
前記鏡は、円錐形状の一部からなる表面形状を有する請求項１乃至６いずれか記載の撮影装置。
【請求項８】
前記鏡を複数有する請求項１乃至７いずれか記載の撮影装置。
【請求項９】
前記鏡は、光を反射する反射部を複数有する請求項１乃至７いずれか記載の撮影装置。
【請求項１０】
画面を表示する表示部と、
前記表示部と同一平面上に配置された撮影部と、
前記表示部の少なくとも一部を前記撮影部で撮影することができる位置に配置されるように鏡が装着される被装着部と、
を有する撮影装置。
【請求項１１】
記録媒体と同一平面上に配置されている撮影部と、
前記撮影部で前記記録媒体の少なくとも一部を撮影することができるよう配置された鏡と、
を有する撮影装置。
【請求項１２】
記録媒体が置かれる台と
前記台と同一平面上に配置されている撮影部と、
前記台に置かれた記録媒体の少なくとも一部を前記撮影部で撮影することができる位置に配置されるように鏡が装着される被装着部と、
を有する撮影装置。
【請求項１３】
画面を表示する表示部と、前記表示部と同一平面上に配置された撮影部とを有する撮影装置に装着するための装着部を有し、
前記装着部を用いて、前記撮影部で前記表示部の少なくとも一部を撮影することができるよう前記撮影装置に装着される鏡。
【請求項１４】
記録媒体が置かれる台と、前記台と同一平面上に配置された撮影部とを有する撮影装置に装着するための装着部を有し、
前記装着部を用いて、前記撮影部で前記台に置かれた記録媒体の少なくとも一部を撮影することができるように前記撮影装置に装着される鏡。
【発明の詳細な説明】
【技術分野】
【０００１】
本発明は、撮影装置及び鏡に関する。
【背景技術】
【０００２】
特許文献１には、被写体の光学的な像を電気的な画像信号として出力可能な撮像装置であって、曲面形状の反射面を有する反射ミラーと、前記反射面によって反射された光を受光して光学的な像を形成する結像レンズを含む撮像光学系と、前記撮像光学系により結像される光学的な像を電気的な画像信号に変換して出力し、前記結像レンズと対向して配置される撮像素子とを備え、前記結像レンズと、当該結像レンズが形成する光学的な像を受光する複数の受光部を有する前記撮像素子上の撮像領域とによりユニットが構成されており、複数の前記ユニットが２次元に配列されていることを特徴とする、広角撮像装置が開示されている。
【０００３】
特許文献２には、互いに異なる位置に設けられた複数の発光部から順次出射され、反射物を経て一の受光部に至る各反射光の強度を示す複数の反射光強度情報を受け取って、各反射光の相互間に生じている強度変化の位相差を算出し、その算出結果に基づいて前記反射物の動きを判定することを特徴とする演算装置が開示されている。
【０００４】
特許文献３には、視差を利用してゲーム画像を立体視表示するゲーム装置であって、
前記立体視表示が可能な表示部と、撮像部と、オブジェクトの前記表示部に対する表示位置を設定するとともに、仮想空間内の対応する位置に当該オブジェクトを配置するオブジェクト設定部と、前記表示部の奥行き方向における前記オブジェクトの表示位置に基づいて視差を設定し、前記表示部に前記オブジェクトを立体視表示させる表示制御部と、前記撮像部によって撮像される所定の指示部材の画像に基づいて、当該指示部材の前記撮像部に対する相対位置を算出する指示位置算出部と、前記オブジェクトの表示位置と前記算出された相対位置との関係に基づいて、ゲーム処理を行うゲーム処理部とを備える、ゲーム装置が開示されており、引用文献３の段落〔０１６４〕、〔０１６５〕には、図１４には、「上側ハウジング２に装着されている内側カメラ１３３の撮像面側に全方位レンズ１９０を装着した構成例を示す。全方位レンズ１９０は、撮像部である内側カメラ１３３に着脱可能に設けられ、内側カメラ１３３を中心とする全周囲の画像を内側カメラ１３３に導くためのレンズである。より具体的には、全方位レンズ１９０は、双曲面ミラー１９０ａを含み、全方位レンズ１９０の全周囲からの光が双曲面ミラー１９０ａによって反射され、内側カメラ１３３のレンズに導かれる。これによって、全方位レンズ１９０の実質的に周囲３６０°にわたって撮像を行うことができる。すなわち、全方位レンズ１９０と内側カメラ１３３とを組み合わせることで、上側ハウジング２の周辺でユーザが行う操作を光学的に検出することができる」とある。
【先行技術文献】
【特許文献】
【０００５】
【特許文献１】特開２００６−２１１３６７号公報
【特許文献２】特開２０１１−２２７５７４号公報
【特許文献３】特開２０１２−１１５４１４号公報
【発明の概要】
【発明が解決しようとする課題】
【０００６】
本発明の目的は、装置が大型化することの回避をしつつ、表示部や記録媒体を撮影することができる撮影装置及び鏡を提供することにある。
【課題を解決するための手段】
【０００７】
請求項１に係る本発明は、画面を表示する表示部と、前記表示部と同一平面上に配置された撮影部と、前記撮影部で前記表示部の少なくとも一部を撮影することができるように配置されている鏡と、を有する撮影装置である。
【０００８】
請求項２に係る本発明は、前記撮影部により撮影される被撮影物の前記表示部に対する位置を演算する位置演算部をさらに有する請求項１記載の撮影装置である。
【０００９】
請求項３に係る本発明は、前記撮影部により撮影される被撮影物の前記表示部に対する動作を演算する動作演算部をさらに有する請求項１又は２記載の撮影装置である。
【００１０】
請求項４に係る本発明は、前記位置演算部及び前記動作演算部の少なくともいずれか一方の演算結果に基づいて、前記表示部による表示を制御する表示制御部をさらに有する請求項２又は３記載の撮影装置である。
【００１１】
請求項５に係る本発明は、前記鏡は、前記撮影部近傍に固定可能である請求項１乃至４いずれか記載の撮影装置である。
【００１２】
請求項６に係る本発明は、データを入力するために用いられる入力部をさらに有し、前記入力部は、前記表示部に重なるように配置されている請求項１乃至５いずれか記載の撮影装置である。
【００１３】
請求項７に係る本発明は、前記鏡は、円錐形状の一部からなる表面形状を有する請求項１乃至６いずれか記載の撮影装置である。
【００１４】
請求項８に係る本発明は、前記鏡を複数有する請求項１乃至７いずれか記載の撮影装置である。
【００１５】
請求項９に係る本発明は、前記鏡は、光を反射する反射部を複数有する請求項１乃至７いずれか記載の撮影装置である。
【００１６】
請求項１０に係る本発明は、画面を表示する表示部と、前記表示部と同一平面上に配置された撮影部と、前記表示部の少なくとも一部を前記撮影部で撮影することができる位置に配置されるように鏡が装着される被装着部と、を有する撮影装置である。
【００１７】
請求項１１に係る本発明は、記録媒体と同一平面上に配置されている撮影部と、前記撮影部で前記記録媒体の少なくとも一部を撮影することができるよう配置された鏡と、を有する撮影装置である。
【００１８】
請求項１２に係る本発明は、記録媒体が置かれる台と前記台と同一平面上に配置されている撮影部と、前記台に置かれた記録媒体の少なくとも一部を前記撮影部で撮影することができる位置に配置されるように鏡が装着される被装着部と、を有する撮影装置である。
【００１９】
請求項１３に係る本発明は、画面を表示する表示部と、前記表示部と同一平面上に配置された撮影部とを有する撮影装置に装着するための装着部を有し、前記装着部を用いて、前記撮影部で前記表示部の少なくとも一部を撮影することができるよう前記撮影装置に装着される鏡である。
【００２０】
請求項１４に係る本発明は、記録媒体が置かれる台と、前記台と同一平面上に配置された撮影部とを有する撮影装置に装着するための装着部を有し、前記装着部を用いて、前記撮影部で前記台に置かれた記録媒体の少なくとも一部を撮影することができるように前記撮影装置に装着される鏡である。
【発明の効果】
【００２１】
請求項１に係る本発明によれば、装置が大型化することを回避しつつ、表示部や記録媒体を撮影することができる撮影装置を提供することができる。
【００２２】
請求項２に係る本発明によれば、請求項１に係る本発明が奏する効果を奏することに加えて、被撮影部の位置を明らかにすることができる撮影装置を提供することができる。
【００２３】
請求項３に係る本発明によれば、請求項１又は２に係る本発明が奏する効果を奏することに加えて、被撮影部の動作を明らかにすることができる撮影装置を提供することができる。
【００２４】
請求項４に係る本発明によれば、被撮影物の位置や動作に応じて表示を制御することができる撮影装置を提供することができる。
【００２５】
請求項５に係る本発明によれば、請求項１乃至４いずれかに係る本発明が奏する効果を奏することに加えて、本構成を有しないものと比較して破損が生じにくい撮影装置を提供することができる。
【００２６】
請求項６に係る本発明によれば、請求項１乃至５いずれかに係る本発明が奏する効果を奏することに加えて、入力処理を行うことができる撮影装置を提供することができる。
【００２７】
請求項７に係る本発明によれば、請求項１乃至６いずれかに係る本発明が奏する効果を奏することに加えて、本構成を有しない場合と比較して小型化することができる撮影装置を提供することができる。
【００２８】
請求項８に係る本発明によれば、請求項１乃至７いずれかに係る本発明が奏する効果を奏することに加えて、立体画像を撮影することができる撮影訴装置を提供することができる。
【００２９】
請求項９に係る本発明によれば、請求項１乃至７いずれかに係る本発明が奏する効果を奏することに加えて、立体画像を撮影することができる撮影訴装置を提供することができる。
【００３０】
請求項１０に係る本発明によれば、装置が大型化することを回避しつつ、表示部や記録媒体を撮影することができる撮影装置を提供することができる。
【００３１】
請求項１１に係る本発明によれば、装置が大型化することを回避しつつ、表示部や記録媒体を撮影することができる撮影装置を提供することができる。
【００３２】
請求項１２に係る本発明によれば、装置が大型化することを回避しつつ、表示部や記録媒体を撮影することができる撮影装置を提供することができる。
【００３３】
請求項１３に係る本発明によれば、装置が大型化することを回避しつつ、表示部や記録媒体を撮影することができる鏡を提供することができる。
【００３４】
請求項１４に係る本発明によれば、装置が大型化することを回避しつつ、表示部や記録媒体を撮影することができる鏡を提供することができる。
【図面の簡単な説明】
【００３５】
【図１】本発明の第１の実施形態に係る撮影装置を示す平面図である。
【図２】図１に示す撮影装置の断面図である。
【図３】図１に示す撮影装置で用いられる鏡を示す斜視図である。
【図４】図１に示す撮影装置の制御部の構成を示すブロック図である。
【図５】図１に示す撮影装置を用いての用紙の撮影を説明する図である。
【図６】本発明の第２の実施形態に係る撮影装置を示す平面図である。
【図７】本発明の第３の実施形態に係る撮影装置で用いられる鏡を示す斜視図である。
【図８】図１に示す撮影装置及び図６に示す撮影装置で用いられる鏡と、図７に示す鏡との第１の変形例を示す図である。
【図９】図１に示す撮影装置及び図６に示す撮影装置で用いられる鏡の第２の変形例を示す図である。
【図１０】図１に示す撮影装置及び図６に示す撮影装置で用いられる鏡の第３の変形例を示す図である。
【発明を実施するための形態】
【００３６】
次に本発明の実施形態を図面に基づいて説明する。
図１及び図２には、本発明の第１の実施形態に係るタブレット装置１０が示されている。ここで、図１においては後述する反射鏡５０が取り外された状態のタブレット装置１０を示しており、図２においては後述する反射鏡５０が装着された状態のタブレット装置１０を示している。
【００３７】
タブレット装置１０は、撮影装置として用いられていて、タブレット装置本体１２を有する。タブレット装置本体１２の上向きの面には装着用開口部１４が形成されていて、装着用開口部１４に嵌め込むようにして、画面を表示する表示部として用いられている液晶表示装置２８が装着されている。また、タブレット装置１０は、タッチパネル３０を有する。
【００３８】
タッチパネル３０は、データを入力するための入力部として用いられていて、液晶表示装置２８に重なるように配置されている。利用中のアプリケーションを操作するためのアイコン等が液晶表示装置２８に表示され、タッチパネル３０のこれらのアイコンに重なる位置を操作者が操作することで、アプリケーションを操作するための入力がなされる。より具体的には、例えばタッチパネル３０の表示されているアイコンに重なる位置を、操作者が操作者自身の指や操作用のスタイラス（不図示）で触れることで入力操作がなされるようになっている。また、タブレット装置１０は、電源スイッチ３４を有する。
【００３９】
電源スイッチ３４は、タブレット装置１０の電源をオンにし、オフにするために用いられ、タブレット装置本体１２の上向きの面から操作することができるようにタブレット装置本体１２に取り付けられている。また、タブレット装置１０は、制御部１００を有する。
【００４０】
制御部１００は、例えばＣＰＵ等の制御回路を有し、例えば基板として構成されていて、タブレット装置本体１２のタッチパネル３０及び液晶表示装置２８に下側の位置に取り付けられている。制御部１００は、後述する被撮影物の位置を演算する位置演算部として用いられているとともに、後述する被撮影部の動作を演算する動作演算部として用いられている。また、制御部１００は、演算された被撮影部の位置及び動作の少なくともいずれか一方に基づいて液晶表示装置２８の表示を制御する表示制御部として用いられている。また、タブレット装置１０は、インターフェイス回路１６０を有する。
【００４１】
インターフェイス回路１６０は、例えばＣＰＵ等からなる回路であり、例えば基板として構成されていて、タブレット装置本体１２のタッチパネル３０及び液晶表示装置２８に下側の位置に取り付けられている。インターフェイス回路１６０は、タッチパネル３０と制御部１００とに接続されていて、インターフェイス回路１６０を介してタッチパネル３０から制御部１００への入力がなされる。また、タブレット装置１０は、ＣＣＤカメラ４０を有する。
【００４２】
ＣＣＤカメラ４０は、撮影部として用いられていて、液晶表示装置２８の画面と同一平面上に配置されている。ここで、同一平面上とは、略同一平面上にあることを意味し、例えば液晶表示装置２８の画面と垂直な方向において、タブレット装置本体１２の厚さＴの範囲内において上下した位置も含むものとする。また、ＣＣＤカメラ４０は、タブレット装置本体１２に形成された撮影用開口部１６を介して入射してきた光を撮影することができるようにタブレット装置本体１２の上向きの面に取り付けられている。
【００４３】
ＣＣＤカメラ４０は、主として操作者の顔等を撮影するように設計されている。このため、ＣＣＤカメラ４０で撮影できる範囲は、タブレット装置本体１２に対して上向きの一定の角度の範囲内となっている。そして、液晶表示装置２８の表示画面は撮影が可能な角度の範囲外となり、ＣＣＤカメラ４０を通常に用いた場合には、ＣＣＤカメラ４０を用いて液晶表示装置２８の表示面を撮影することはできない。また、タブレット装置１０は、反射鏡５０を有する。
【００４４】
反射鏡５０は、ＣＣＤカメラ４０で液晶表示装置２８の表示部の少なくとも一部を撮影することができるように配置されている鏡として用いられている。反射鏡５０は、光を反射する反射部５２と、反射部５２を支持する支持部６０とを有する。反射部５２は、外周部で光を反射する部材であり、外周部の形状が、例えば曲面形状となっている。ここで、曲面形状の例としては、例えば、球面形状と非球面形状とを挙げることができ、非球面形状との例としては、例えば双曲面等を挙げることができ、楕円放物面の一部、回転放物面の一部等を挙げることができる。また、反射部５２の表面形状は、例えば、表面における互いに交わる二方向において、少なくともいずれかの方向において湾曲している形状となっている。
【００４５】
図１及び図２に示す例においては、反射鏡５０は、円錐形状の一部からなる表面形状を有する。この場合、表面における母線の方向は直線であり、この母線の方向と交わる方向においては湾曲している。上述のように、反射部５２としては、外周部の形状が様々な形状のものを用いることができるものの、ＣＣＤカメラ４０で、液晶表示装置２８の表示画面の全範囲を撮影できるような外周形状を用いることが望ましい。図２に示す反射鏡５０は、外周形状が非球面であり、円錐形状の一部をなす形状であるため、図２に二点鎖線ａで示すようにＣＣＤカメラ４０を用いて液晶表示装置２８の表示画面の全範囲を撮影することができる形状となっている。
【００４６】
支持部６０は、一端部が反射部５２の光を反射する面以外の部分に固定されている。また、支持部６０の他端部は、例えばタブレット装置本体１２に嵌め込むようにして、タブレット装置本体１２に対して着脱することができるようになっている。より具体的には、例えばタブレット装置本体１２の被装着部１８に支持部６０を嵌め込むようにして、支持部６０を用いて反射鏡５０をタブレット装置本体１２に装着することができ、被装着部１８から支持部６０を取り外すことで、反射鏡５０をタブレット装置本体１２から取り外すことができるようになっている。
【００４７】
支持部６０を用いて反射鏡５０をタブレット装置１０に装着すると、反射鏡５０はＣＣＤカメラ４０近傍に固定された状態となり、反射鏡５０とＣＣＤカメラ４０との位置関係が固定された状態となる。
【００４８】
図２に示す二点鎖線ｂは、反射鏡５０をタブレット装置本体１２に取り付けた状態において、ＣＣＤカメラ４０で撮影することができる範囲の概略を示している。
【００４９】
図３には、反射鏡５０が示されている。反射鏡５０は、上述のように円錐形状の一部を外周形状として有する反射部５２と、反射部５２を支持する支持部６０とを有する。
【００５０】
図４は、タブレット装置１０の制御部の構成を示すブロック図である。
図４に示すように、先述の制御部１００に先述のＣＣＤカメラ４０と、電源スイッチ３４と、液晶表示装置２８と、タッチパネル３０とが連結されている。そして、制御部１００には、ＣＣＤカメラ４０、電源スイッチ３４、及びタッチパネル３０からの入力がなされ、制御部１００によりＣＣＤカメラ４０、液晶表示装置２８、及びタッチパネル３０が制御される。
【００５１】
また、制御部１００は、ＣＣＤカメラ４０からの入力データを用いて、ＣＣＤカメラ４０で撮影された液晶表示装置２８の表示画面に対する操作者の指やスタイラス（不図示）等の被撮影物の位置を演算することができる。また、制御部１００は、ＣＣＤカメラ４０からの入力データを用いて、ＣＣＤカメラ４０で撮影された液晶表示装置２８の表示画面に対する操作者の指やスタイラス等の被撮影物の動作を演算することができる。
【００５２】
さらには、制御部１００は、ＣＣＤカメラ４０で撮影された液晶表示装置２８の表示画面に対する操作者の指やスタイラス等の被撮影物の位置や動作に基づいて液晶表示装置２８の表示を制御することができる。より具体的には、例えば液晶表示装置２８に、操作者の指やスタイラスが接近した場合に、その時点で操作するべき液晶表示装置２８の表示画面に表示されたアイコンを拡大したり、そのアイコンを表示する色を変化させたりすることができる。
【００５３】
図５には、タブレット装置１０で、記録媒体として用いられている用紙Ｐを撮影する状態が示されている。用紙Ｐを撮影する場合は、タブレット装置本体１２が用紙の置かれる台として用いられる。また、專ら用紙を撮影するために装置を構成することもでき、この場合、タブレット装置本体１２に装着された液晶表示装置２８及びタッチパネル３０は不要となる。
【００５４】
図６には、本発明の第２の実施形態に係るタブレット装置１０が示されている。先述の第１の実施形態に係るタブレット装置１０は、反射鏡５０を１つ有し、反射鏡５０がタブレット装置本体１２の被装着部１８に取り付けられていた。これに対して、この第２の実施形態に係るタブレット装置１０においては、タブレット装置本体１２が複数の被装着部１８を有し、これらの複数の被装着部１８に複数の反射鏡５０が装着される。より具体的には、この第２の実施形態に係るタブレット装置１０においては、タブレット装置本体１２が２つの被装着部１８を有し、２つの装着部のそれぞれに対して各１つの合計２つの反射鏡５０が取り付けられる。また、この第２の実施形態においては、制御部１００が、２つの反射鏡５０のそれぞれに反射された光の視差に基づいての演算をすることで、例えば図２に二点鎖線ｂで示す範囲内にある被撮影物の立体画像を撮影することができるようになっている。
【００５５】
以上で説明した第１の実施形態に係るタブレット装置１０との異なる部分以外の第２の実施形態に係るタブレット装置１０の構成は第１のタブレット装置１０と同じであるので繰り返しての説明を省略する。
【００５６】
図７には、本発明の第３の実施形態に係るタブレット装置に用いられる反射鏡５０が示されている。先述の第１の実施形態に係るタブレット装置１０においては、反射鏡５０として、反射面を１つ有する鏡が用いられていた（図３参照）。これに対して、この第３の実施形態に係るタブレット装置１０においては、一般に多面鏡と称されていて、図７に示すように２つの反射面にあたる反射部５２ａ、反射部５２ｂを有する反射鏡５０が用いられている。反射部５２ａ、反射部５２ｂの形状は、それぞれが非球面である。以上で説明した第１の実施形態に係るタブレット装置１０との異なる部分以外の第３の実施形態に係るタブレット装置１０の構成は第１のタブレット装置１０と同じである。
【００５７】
また、先述の第２の実施形態に係るタブレット装置１０においては、被撮影物の立体画像を撮影するために、２つの反射鏡５０を用いていた。これに対して、この第３の実施形態においては、先述の第２の実施形態と同様に立体画像を撮影することができるものの、反射鏡５０そのものの数は１つであり、２つの反射鏡５０を用いることに替えて、１つの反射鏡５０の２つ反射部（反射面）を用いて立体画像を撮影することができるようなっている。すなわち、この第３の実施形態においては、制御部１００（図４参照）が、反射部５２ａ、反射部５２ｂのそれぞれに反射された光の視差に基づいての演算をすることで、例えば図２に二点鎖線ｂで示す範囲内にある被撮影物の立体画像を撮影することができるようになっている。
【００５８】
図８には、第１の実施形態、第２の実施形態、及び第３の実施形態のいずれかに係るタブレット装置１０で用いられる反射鏡５０の第１の変形例が示されている。先述の第１の実施形態、第２の実施形態、及び第３の実施形態のいずれかに係るタブレット装置１０で用いられる反射鏡５０においては、反射鏡５０は支持部６０を用いてタブレット装置本体１２に着脱することができ、タブレット装置本体１２に対して固定することができるようになっていた。これに対して、この第１の変形例においては、反射鏡５０の支持部６０は、使用に際してタブレット装置１０が設置される設置面９０に置くようにして反射部５２を支持している。この第１の変形例に係る反射鏡５０は、例えばＣＣＤカメラ４０近傍に反射部５２が位置するように設置面９０に置くようにして使用することができる。
【００５９】
図９には、第１の実施形態に係るタブレット装置１０及び第２の実施形態に係るタブレット装置１０で用いられる反射鏡５０の第２の変形例が示されている。先述の第１の実施形態に係るタブレット装置１０及び第２の実施形態に係るタブレット装置１０で用いられる反射鏡５０においては、反射部５２は円錐形状の一部をなす外周形状を有していた。これに対して、この第２の変形例においては、反射部５２の反射面は平面となっている。反射部５２の形状が平面であるため、この第２の変形例に係る反射鏡５０を用いると、液晶表示装置２８の表示画面にＣＣＤカメラ４０で撮影することができない領域が生じる。このため、液晶表示装置２８の表画面の全領域を撮影する場合は、この第２の変形例に係る反射鏡５０に替えて、反射部５２は円錐形状の一部をなす外周形状を有する反射鏡５０を用いる必要がある。
【００６０】
尚、先述の説明では、反射部５２ａ、反射部５２ｂのそれぞれの形状が被球面である反射鏡５０を第３の実施形態に係るタブレット装置１０で用いる反射鏡の一例として説明したものの、第３の実施形態に係るタブレット装置１０において、反射部５２ａ、反射部５２ｂのそれぞれの形状が平面である反射鏡を用いても良い。
【００６１】
図１０には、第１の実施形態に係るタブレット装置１０及び第２の実施形態に係るタブレット装置１０で用いられる反射鏡５０の第３の変形例が示されている。先述の第１の実施形態に係るタブレット装置１０及び第２の実施形態に係るタブレット装置１０で用いられる反射鏡５０においては、反射部５２は円錐形状の一部をなす外周形状を有していた。これに対して、この第３の変形例においては、反射部５２の外周部の形状は、タブレット装置本体１２側に凸の非球面形状となっていて、例えば双曲面となっている。このため、外周部の形状は、外周部の表面における互いに交わる二方向の両方向において湾曲した形状となっている。
【００６２】
以上で説明をした第１の変形例に係る反射鏡５０と、第２の変形例に係る反射鏡５０か第３の変形例に係る反射鏡５０かを組み合わせて用いることもできる。すなわち、反射鏡５０の支持部６０を設置面９０に置かれるようにし、反射部５２を平面にするかタブレット装置本体１２側に凸の非球面とすることができる。
【産業上の利用可能性】
【００６３】
以上述べたように、本発明は、撮影装置及び鏡に適用することができる。
【符号の説明】
【００６４】
１０・・・タブレット装置
１８・・・被装着部
２８・・・液晶表示装置
３０・・・タッチパネル
４０・・・ＣＣＤカメラ
５０・・・反射鏡
５２・・・反射部
６０・・・支持部
１００・・・制御部
【図１】
2014045328.tif 000003
【図２】
2014045328.tif 000004
【図３】
2014045328.tif 000005
【図４】
2014045328.tif 000006
【図５】
2014045328.tif 000007
【図６】
2014045328.tif 000008
【図７】
2014045328.tif 000009
【図８】
2014045328.tif 000010
【図９】
2014045328.tif 000011
【図１０】
2014045328.tif 000012
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
画面を表示する表示部と、  前記表示部と同一平面上に配置された撮影部と、  前記撮影部で前記表示部の少なくとも一部を撮影することができるように配置されている鏡と、を有する撮影装置。
【請求項２】
前記鏡は、湾曲している形状からなり、前記撮影部に対して湾曲した凸面が対向し、かつ前記凸面が前記表示部の平面に対して傾くように配置される請求項１に記載の撮影装置。
【請求項３】
前記鏡は、円錐形状又は双曲面形状又は非球面形状からなる少なくとも２つの反射部を有する形状からなることを特徴とする請求項２に記載の撮影装置。
【請求項４】
前記撮影部により撮影される被撮影物の前記表示部に対する位置を演算する位置演算部をさらに有する請求項１乃至３いずれか記載の撮影装置。
【請求項５】
前記撮影部により撮影される被撮影物の前記表示部に対する動作を演算する動作演算部をさらに有する請求項１乃至４いずれか記載の撮影装置。
【請求項６】
前記位置演算部及び前記動作演算部の少なくともいずれか一方の演算結果に基づいて、前記表示部による表示を制御する表示制御部をさらに有する請求項４又は５記載の撮影装置。
【請求項７】
前記鏡は、前記撮影部近傍に固定可能である請求項１乃至６いずれか記載の撮影装置。
【請求項８】
データを入力するために用いられる入力部をさらに有し、  前記入力部は、前記表示部に重なるように配置されている請求項１乃至７いずれか記載の撮影装置。
【請求項９】
前記鏡は、円錐形状の一部からなる表面形状を有する請求項１乃至８いずれか記載の撮影装置。
【請求項１０】
前記鏡を複数有する請求項１乃至９いずれか記載の撮影装置。
【請求項１１】
前記鏡は、光を反射する反射部を複数有する請求項１乃至９いずれか記載の撮影装置。
【請求項１２】
画面を表示する表示部と、  前記表示部と同一平面上に配置された撮影部と、  前記表示部の少なくとも一部を前記撮影部で撮影することができる位置に配置されるように鏡が装着される被装着部と、を有する撮影装置。
【請求項１３】
記録媒体と同一平面上に配置されている撮影部と、  前記撮影部で前記記録媒体の少なくとも一部を撮影することができるよう配置された鏡と、を有する撮影装置。
【請求項１４】
記録媒体が置かれる台と  前記台と同一平面上に配置されている撮影部と、  前記台に置かれた記録媒体の少なくとも一部を前記撮影部で撮影することができる位置に配置されるように鏡が装着される被装着部と、を有する撮影装置。
【請求項１５】
画面を表示する表示部と、前記表示部と同一平面上に配置された撮影部とを有する撮影装置に装着するための装着部を有し、  前記装着部を用いて、前記撮影部で前記表示部の少なくとも一部を撮影することができるよう前記撮影装置に装着される鏡。
【請求項１６】
記録媒体が置かれる台と、前記台と同一平面上に配置された撮影部とを有する撮影装置に装着するための装着部を有し、  前記装着部を用いて、前記撮影部で前記台に置かれた記録媒体の少なくとも一部を撮影することができるように前記撮影装置に装着される鏡。 
【手続補正２】
【補正対象書類名】明細書
【補正対象項目名】０００７
【補正方法】変更
【補正の内容】
【０００７】
請求項１に係る本発明は、画面を表示する表示部と、前記表示部と同一平面上に配置された撮影部と、前記撮影部で前記表示部の少なくとも一部を撮影することができるように配置されている鏡と、を有する撮影装置である。  請求項２に係る本発明は、前記鏡は、湾曲している形状からなり、前記撮影部に対して湾曲した凸面が対向し、かつ前記凸面が前記表示部の平面に対して傾くように配置される請求項１に記載の撮影装置である。 請求項３に係る本発明は、前記鏡は、円錐形状又は双曲面形状又は非球面形状からなる少なくとも２つの反射部を有する形状からなることを特徴とする請求項２に記載の撮影装置である。
【手続補正３】
【補正対象書類名】明細書
【補正対象項目名】０００８
【補正方法】変更
【補正の内容】
【０００８】
請求項４に係る本発明は、前記撮影部により撮影される被撮影物の前記表示部に対する位置を演算する位置演算部をさらに有する請求項１乃至３いずれか記載の撮影装置である。 
【手続補正４】
【補正対象書類名】明細書
【補正対象項目名】０００９
【補正方法】変更
【補正の内容】
【０００９】
請求項５に係る本発明は、前記撮影部により撮影される被撮影物の前記表示部に対する動作を演算する動作演算部をさらに有する請求項１乃至４いずれか記載の撮影装置である。 
【手続補正５】
【補正対象書類名】明細書
【補正対象項目名】００１０
【補正方法】変更
【補正の内容】
【００１０】
請求項６に係る本発明は、前記位置演算部及び前記動作演算部の少なくともいずれか一方の演算結果に基づいて、前記表示部による表示を制御する表示制御部をさらに有する請求項４又は５記載の撮影装置である。 
【手続補正６】
【補正対象書類名】明細書
【補正対象項目名】００１１
【補正方法】変更
【補正の内容】
【００１１】
請求項７に係る本発明は、前記鏡は、前記撮影部近傍に固定可能である請求項１乃至６いずれか記載の撮影装置である。 
【手続補正７】
【補正対象書類名】明細書
【補正対象項目名】００１２
【補正方法】変更
【補正の内容】
【００１２】
請求項８に係る本発明は、データを入力するために用いられる入力部をさらに有し、前記入力部は、前記表示部に重なるように配置されている請求項１乃至７いずれか記載の撮影装置である。 
【手続補正８】
【補正対象書類名】明細書
【補正対象項目名】００１３
【補正方法】変更
【補正の内容】
【００１３】
請求項９に係る本発明は、前記鏡は、円錐形状の一部からなる表面形状を有する請求項１乃至８いずれか記載の撮影装置である。 
【手続補正９】
【補正対象書類名】明細書
【補正対象項目名】００１４
【補正方法】変更
【補正の内容】
【００１４】
請求項１０に係る本発明は、前記鏡を複数有する請求項１乃至９いずれか記載の撮影装置である。 
【手続補正１０】
【補正対象書類名】明細書
【補正対象項目名】００１５
【補正方法】変更
【補正の内容】
【００１５】
請求項１１に係る本発明は、前記鏡は、光を反射する反射部を複数有する請求項１乃至９いずれか記載の撮影装置である。 
【手続補正１１】
【補正対象書類名】明細書
【補正対象項目名】００１６
【補正方法】変更
【補正の内容】
【００１６】
請求項１２に係る本発明は、画面を表示する表示部と、前記表示部と同一平面上に配置された撮影部と、前記表示部の少なくとも一部を前記撮影部で撮影することができる位置に配置されるように鏡が装着される被装着部と、を有する撮影装置である。 
【手続補正１２】
【補正対象書類名】明細書
【補正対象項目名】００１７
【補正方法】変更
【補正の内容】
【００１７】
請求項１３に係る本発明は、記録媒体と同一平面上に配置されている撮影部と、前記撮影部で前記記録媒体の少なくとも一部を撮影することができるよう配置された鏡と、を有する撮影装置である。 
【手続補正１３】
【補正対象書類名】明細書
【補正対象項目名】００１８
【補正方法】変更
【補正の内容】
【００１８】
請求項１４に係る本発明は、記録媒体が置かれる台と前記台と同一平面上に配置されている撮影部と、前記台に置かれた記録媒体の少なくとも一部を前記撮影部で撮影することができる位置に配置されるように鏡が装着される被装着部と、を有する撮影装置である。 
【手続補正１４】
【補正対象書類名】明細書
【補正対象項目名】００１９
【補正方法】変更
【補正の内容】
【００１９】
請求項１５に係る本発明は、画面を表示する表示部と、前記表示部と同一平面上に配置された撮影部とを有する撮影装置に装着するための装着部を有し、前記装着部を用いて、前記撮影部で前記表示部の少なくとも一部を撮影することができるよう前記撮影装置に装着される鏡である。 
【手続補正１５】
【補正対象書類名】明細書
【補正対象項目名】００２０
【補正方法】変更
【補正の内容】
【００２０】
請求項１６に係る本発明は、記録媒体が置かれる台と、前記台と同一平面上に配置された撮影部とを有する撮影装置に装着するための装着部を有し、前記装着部を用いて、前記撮影部で前記台に置かれた記録媒体の少なくとも一部を撮影することができるように前記撮影装置に装着される鏡である。 
【手続補正１６】
【補正対象書類名】明細書
【補正対象項目名】００２１
【補正方法】変更
【補正の内容】
【００２１】
請求項１に係る本発明によれば、装置が大型化することを回避しつつ、表示部や記録媒体を撮影することができる撮影装置を提供することができる。  請求項２に係る本発明によれば、請求項１に係る本発明が奏する効果を奏することに加えて、本構成を有しない場合と比較して小型化することができる撮影装置を提供することができる。 請求項３に係る本発明によれば、請求項１乃至２いずれかに係る本発明が奏する効果を奏することに加えて、本構成を有しない場合と比較して小型化することができる撮影装置を提供することができる。
【手続補正１７】
【補正対象書類名】明細書
【補正対象項目名】００２２
【補正方法】変更
【補正の内容】
【００２２】
請求項４に係る本発明によれば、請求項１乃至３いずれかに係る本発明が奏する効果を奏することに加えて、被撮影部の位置を明らかにすることができる撮影装置を提供することができる。 
【手続補正１８】
【補正対象書類名】明細書
【補正対象項目名】００２３
【補正方法】変更
【補正の内容】
【００２３】
請求項５に係る本発明によれば、請求項１乃至４いずれかに係る本発明が奏する効果を奏することに加えて、被撮影部の動作を明らかにすることができる撮影装置を提供することができる。 
【手続補正１９】
【補正対象書類名】明細書
【補正対象項目名】００２４
【補正方法】変更
【補正の内容】
【００２４】
請求項６に係る本発明によれば、被撮影物の位置や動作に応じて表示を制御することができる撮影装置を提供することができる。 
【手続補正２０】
【補正対象書類名】明細書
【補正対象項目名】００２５
【補正方法】変更
【補正の内容】
【００２５】
請求項７に係る本発明によれば、請求項１乃至６いずれかに係る本発明が奏する効果を奏することに加えて、本構成を有しないものと比較して破損が生じにくい撮影装置を提供することができる。 
【手続補正２１】
【補正対象書類名】明細書
【補正対象項目名】００２６
【補正方法】変更
【補正の内容】
【００２６】
請求項８に係る本発明によれば、請求項１乃至７いずれかに係る本発明が奏する効果を奏することに加えて、入力処理を行うことができる撮影装置を提供することができる。 
【手続補正２２】
【補正対象書類名】明細書
【補正対象項目名】００２７
【補正方法】変更
【補正の内容】
【００２７】
請求項９に係る本発明によれば、請求項１乃至８いずれかに係る本発明が奏する効果を奏することに加えて、本構成を有しない場合と比較して小型化することができる撮影装置を提供することができる。 
【手続補正２３】
【補正対象書類名】明細書
【補正対象項目名】００２８
【補正方法】変更
【補正の内容】
【００２８】
請求項１０に係る本発明によれば、請求項１乃至９いずれかに係る本発明が奏する効果を奏することに加えて、立体画像を撮影することができる撮影訴装置を提供することができる。 
【手続補正２４】
【補正対象書類名】明細書
【補正対象項目名】００２９
【補正方法】変更
【補正の内容】
【００２９】
請求項１１に係る本発明によれば、請求項１乃至９いずれかに係る本発明が奏する効果を奏することに加えて、立体画像を撮影することができる撮影訴装置を提供することができる。 
【手続補正２５】
【補正対象書類名】明細書
【補正対象項目名】００３０
【補正方法】変更
【補正の内容】
【００３０】
請求項１２に係る本発明によれば、装置が大型化することを回避しつつ、表示部や記録媒体を撮影することができる撮影装置を提供することができる。 
【手続補正２６】
【補正対象書類名】明細書
【補正対象項目名】００３１
【補正方法】変更
【補正の内容】
【００３１】
請求項１３に係る本発明によれば、装置が大型化することを回避しつつ、表示部や記録媒体を撮影することができる撮影装置を提供することができる。 
【手続補正２７】
【補正対象書類名】明細書
【補正対象項目名】００３２
【補正方法】変更
【補正の内容】
【００３２】
請求項１４に係る本発明によれば、装置が大型化することを回避しつつ、表示部や記録媒体を撮影することができる撮影装置を提供することができる。 
【手続補正２８】
【補正対象書類名】明細書
【補正対象項目名】００３３
【補正方法】変更
【補正の内容】
【００３３】
請求項１５に係る本発明によれば、装置が大型化することを回避しつつ、表示部や記録媒体を撮影することができる鏡を提供することができる。 
【手続補正２９】
【補正対象書類名】明細書
【補正対象項目名】００３４
【補正方法】変更
【補正の内容】
【００３４】
請求項１６に係る本発明によれば、装置が大型化することを回避しつつ、表示部や記録媒体を撮影することができる鏡を提供することができる。 
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
画面を表示する表示部と、
前記表示部と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、
を有する撮影装置。
【請求項２】
前記撮影部により撮影される被撮影物の前記表示部に対する位置を演算する位置演算部をさらに有する請求項１記載の撮影装置。
【請求項３】
前記撮影部により撮影される被撮影物の前記表示部に対する動作を演算する動作演算部をさらに有する請求項１又は２記載の撮影装置。
【請求項４】
前記位置演算部及び前記動作演算部の少なくともいずれか一方の演算結果に基づいて、前記表示部による表示を制御する表示制御部をさらに有する請求項２又は３記載の撮影装置。
【請求項５】
前記鏡は、前記撮影部近傍に固定可能である請求項１乃至４いずれか記載の撮影装置。
【請求項６】
データを入力するために用いられる入力部をさらに有し、  前記入力部は、前記表示部に重なるように配置されている請求項１乃至５いずれか記載の撮影装置。
【請求項７】
画面を表示する表示部と、
前記表示部と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡が装着される被装着部と、
を有する撮影装置。
【請求項８】
記録媒体と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、
を有する撮影装置。
【請求項９】
記録媒体が置かれる台と、
前記台と同一平面上に配置されている撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、
を有する撮影装置。
【請求項１０】
画面を表示する表示部と、前記表示部と同一平面上に配置された撮影部とを有する撮影装置に装着するための装着部を有し、前記装着部を用いて、前記撮影部で前記表示部の少
なくとも一部を撮影することができるよう前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置される鏡。
【請求項１１】
記録媒体が置かれる台と、前記台と同一平面上に配置された撮影部とを有する撮影装置に装着するための装着部を有し、  前記装着部を用いて、前記撮影部で前記台に置かれた記録媒体の少なくとも一部を撮影することができるように前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置される鏡。
【手続補正２】
【補正対象書類名】明細書
【補正対象項目名】０００７
【補正方法】変更
【補正の内容】
【０００７】
請求項１に係る本発明は、画面を表示する表示部と、前記表示部と同一平面上に配置された撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、を有する撮影装置である。
【手続補正３】
【補正対象書類名】明細書
【補正対象項目名】０００８
【補正方法】変更
【補正の内容】
【０００８】
請求項２に係る本発明は、前記撮影部により撮影される被撮影物の前記表示部に対する
位置を演算する位置演算部をさらに有する請求項１記載の撮影装置である。
【手続補正４】
【補正対象書類名】明細書
【補正対象項目名】０００９
【補正方法】変更
【補正の内容】
【０００９】
請求項３に係る本発明は、前記撮影部により撮影される被撮影物の前記表示部に対する動
作を演算する動作演算部をさらに有する請求項１又は２記載の撮影装置である。
【手続補正５】
【補正対象書類名】明細書
【補正対象項目名】００１０
【補正方法】変更
【補正の内容】
【００１０】
請求項４に係る本発明は、前記位置演算部及び前記動作演算部の少なくともいずれか一
方の演算結果に基づいて、前記表示部による表示を制御する表示制御部をさらに有する請
求項２又は３記載の撮影装置である。
【手続補正６】
【補正対象書類名】明細書
【補正対象項目名】００１１
【補正方法】変更
【補正の内容】
【００１１】
請求項５に係る本発明は、前記鏡は、前記撮影部近傍に固定可能である請求項１乃至４
いずれか記載の撮影装置である。
【手続補正７】
【補正対象書類名】明細書
【補正対象項目名】００１２
【補正方法】変更
【補正の内容】
【００１２】
請求項６に係る本発明は、データを入力するために用いられる入力部をさらに有し、前
記入力部は、前記表示部に重なるように配置されている請求項１乃至５いずれか記載の撮
影装置である。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項７に係る本発明は、画面を表示する表示部と、前記表示部と同一平面上に配置された撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡が装着される被装着部と、を有する撮影装置である。
【手続補正１２】
【補正対象書類名】明細書
【補正対象項目名】００１７
【補正方法】変更
【補正の内容】
【００１７】
請求項８に係る本発明は、記録媒体と同一平面上に配置された撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、を有する撮影装置である。
【手続補正１３】
【補正対象書類名】明細書
【補正対象項目名】００１８
【補正方法】変更
【補正の内容】
【００１８】
請求項９に係る本発明は、記録媒体が置かれる台と、前記台と同一平面上に配置されている撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、を有する撮影装置である。
【手続補正１４】
【補正対象書類名】明細書
【補正対象項目名】００１９
【補正方法】変更
【補正の内容】
【００１９】
請求項１０に係る本発明は、画面を表示する表示部と、前記表示部と同一平面上に配置された撮影部とを有する撮影装置に装着するための装着部を有し、前記装着部を用いて、前記撮影部で前記表示部の少なくとも一部を撮影することができるよう前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置される鏡である。
【手続補正１５】
【補正対象書類名】明細書
【補正対象項目名】００２０
【補正方法】変更
【補正の内容】
【００２０】
請求項１１に係る本発明は、記録媒体が置かれる台と、前記台と同一平面上に配置された撮影部とを有する撮影装置に装着するための装着部を有し、  前記装着部を用いて、前記撮影部で前記台に置かれた記録媒体の少なくとも一部を撮影することができるように前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置される鏡である。
【手続補正１６】
【補正対象書類名】明細書
【補正対象項目名】００２１
【補正方法】変更
【補正の内容】
【００２１】
請求項１に係る本発明によれば、装置が大型化することを回避しつつ、表示部や記録媒体を撮影することができる撮影装置を提供することができる。
【手続補正１７】
【補正対象書類名】明細書
【補正対象項目名】００２２
【補正方法】変更
【補正の内容】
【００２２】
請求項２に係る本発明によれば、請求項１に係る本発明が奏する効果を奏することに加えて、被撮影部の位置を明らかにすることができる撮影装置を提供することができる。
【手続補正１８】
【補正対象書類名】明細書
【補正対象項目名】００２３
【補正方法】変更
【補正の内容】
【００２３】
請求項３に係る本発明によれば、請求項１又は２に係る本発明が奏する効果を奏することに加えて、被撮影部の動作を明らかにすることができる撮影装置を提供することができる。
【手続補正１９】
【補正対象書類名】明細書
【補正対象項目名】００２４
【補正方法】変更
【補正の内容】
【００２４】
請求項４に係る本発明によれば、被撮影物の位置や動作に応じて表示を制御することができる撮影装置を提供することができる。
【手続補正２０】
【補正対象書類名】明細書
【補正対象項目名】００２５
【補正方法】変更
【補正の内容】
【００２５】
請求項５に係る本発明によれば、請求項１乃至４いずれかに係る本発明が奏する効果を奏することに加えて、本構成を有しないものと比較して破損が生じにくい撮影装置を提供することができる。
【手続補正２１】
【補正対象書類名】明細書
【補正対象項目名】００２６
【補正方法】変更
【補正の内容】
【００２６】
請求項６に係る本発明によれば、請求項１乃至５いずれかに係る本発明が奏する効果を奏することに加えて、入力処理を行うことができる撮影装置を提供することができる。
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
請求項７に係る本発明によれば、装置が大型化することを回避しつつ、表示部や記録媒
体を撮影することができる撮影装置を提供することができる。
【手続補正２６】
【補正対象書類名】明細書
【補正対象項目名】００３１
【補正方法】変更
【補正の内容】
【００３１】
請求項８に係る本発明によれば、装置が大型化することを回避しつつ、表示部や記録媒
体を撮影することができる撮影装置を提供することができる。
【手続補正２７】
【補正対象書類名】明細書
【補正対象項目名】００３２
【補正方法】変更
【補正の内容】
【００３２】
請求項９に係る本発明によれば、装置が大型化することを回避しつつ、表示部や記録媒
体を撮影することができる撮影装置を提供することができる。
【手続補正２８】
【補正対象書類名】明細書
【補正対象項目名】００３３
【補正方法】変更
【補正の内容】
【００３３】
請求項１０に係る本発明によれば、装置が大型化することを回避しつつ、表示部や記録媒体を撮影することができる鏡を提供することができる。
【手続補正２９】
【補正対象書類名】明細書
【補正対象項目名】００３４
【補正方法】変更
【補正の内容】
【００３４】
請求項１１に係る本発明によれば、装置が大型化することを回避しつつ、表示部や記録媒体を撮影することができる鏡を提供することができる。
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
画面を表示する表示部と、
前記表示部と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡と、
を有する撮影装置。
【請求項２】
前記撮影部により撮影される被撮影物の前記表示部に対する位置を演算する位置演算部をさらに有する請求項１記載の撮影装置。
【請求項３】
前記撮影部により撮影される被撮影物の前記表示部に対する動作を演算する動作演算部をさらに有する請求項１又は２記載の撮影装置。
【請求項４】
前記撮影部により撮影される被撮影物の前記表示部に対する位置を演算する位置演算部と、
前記撮影部により撮影される被撮影物の前記表示部に対する動作を演算する動作演算部と、
前記位置演算部及び前記動作演算部の少なくともいずれか一方の演算結果に基づいて、前記表示部による表示を制御する表示制御部と、
をさらに有する請求項１記載の撮影装置。
【請求項５】
前記鏡は、前記撮影部近傍に固定可能である請求項１乃至４いずれか記載の撮影装置。
【請求項６】
データを入力するために用いられる入力部をさらに有し、  前記入力部は、前記表示部に重なるように配置されている請求項１乃至５いずれか記載の撮影装置。
【請求項７】
画面を表示する表示部と、
前記表示部と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置されている鏡が装着される被装着部と、
を有する撮影装置。
【請求項８】
記録媒体と同一平面上に配置された撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記記録媒体の平面に対して傾き、前記反射部のそれぞれが前記撮影部で前記記録媒体の少なくとも一部を撮影する領域が少なくとも一部で重なり合うように配置されている鏡と、
を有する撮影装置。
【請求項９】
記録媒体が置かれる台と、
前記台と同一平面上に配置されている撮影部と、
円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記台の平面に対して傾き、前記反射部のそれぞれが前記撮影部で前記台の少なくとも一部を撮影する領域が少なくとも一部で重なり合うように配置されている鏡と、
を有する撮影装置。
【請求項１０】
画面を表示する表示部と、前記表示部と同一平面上に配置された撮影部とを有する撮影装置に装着するための装着部を有し、前記装着部を用いて、前記撮影部で前記表示部の少
なくとも一部を撮影することができるよう前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記表示部の平面に対して傾き、前記反射部のそれぞれが前記撮影部で前記表示部の少なくとも一部を撮影する領域が少なくとも一部で重なり合うように配置される鏡。
【請求項１１】
記録媒体が置かれる台と、前記台と同一平面上に配置された撮影部とを有する撮影装置に装着するための装着部を有し、  前記装着部を用いて、前記撮影部で前記台に置かれた記録媒体の少なくとも一部を撮影することができるように前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記台の平面に対して傾き、前記反射部のそれぞれが前記撮影部で前記台の少なくとも一部を撮影する領域が少なくとも一部で重なり合うように配置される鏡。
【手続補正２】
【補正対象書類名】明細書
【補正対象項目名】００１０
【補正方法】変更
【補正の内容】
【００１０】
請求項４に係る本発明は、前記撮影部により撮影される被撮影物の前記表示部に対する位置を演算する位置演算部と、前記撮影部により撮影される被撮影物の前記表示部に対する動作を演算する動作演算部と、前記位置演算部及び前記動作演算部の少なくともいずれか一方の演算結果に基づいて、前記表示部による表示を制御する表示制御部と、をさらに有する請求項１記載の撮影装置である。
【手続補正３】
【補正対象書類名】明細書
【補正対象項目名】００１７
【補正方法】変更
【補正の内容】
【００１７】
請求項８に係る本発明は、記録媒体と同一平面上に配置された撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記記録媒体の平面に対して傾き、前記反射部のそれぞれが前記撮影部で前記記録媒体の少なくとも一部を撮影する領域が少なくとも一部で重なり合うように配置されている鏡と、を有する撮影装置である。
【手続補正４】
【補正対象書類名】明細書
【補正対象項目名】００１８
【補正方法】変更
【補正の内容】
【００１８】
請求項９に係る本発明は、記録媒体が置かれる台と、前記台と同一平面上に配置されている撮影部と、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記台の平面に対して傾き、前記反射部のそれぞれが前記撮影部で前記台の少なくとも一部を撮影する領域が少なくとも一部で重なり合うように配置されている鏡と、を有する撮影装置である。
【手続補正５】
【補正対象書類名】明細書
【補正対象項目名】００２０
【補正方法】変更
【補正の内容】
【００２０】
請求項１１に係る本発明は、記録媒体が置かれる台と、前記台と同一平面上に配置された撮影部とを有する撮影装置に装着するための装着部を有し、  前記装着部を用いて、前記撮影部で前記台に置かれた記録媒体の少なくとも一部を撮影することができるように前記撮影装置に装着される鏡であって、円錐形状又は双曲面形状又は非球面形状であって、湾曲している形状からなる、少なくとも２つの反射部を有する形状からなり、前記撮影部に対して湾曲した凸面のそれぞれが対向し、かつ前記反射部の前記凸面のそれぞれが前記台の平面に対して傾き、前記反射部のそれぞれが前記撮影部で前記台の少なくとも一部を撮影する領域が少なくとも一部で重なり合うように配置される鏡である。
【手続補正６】
【補正対象書類名】明細書
【補正対象項目名】００６０
【補正方法】変更
【補正の内容】
【００６０】
尚、先述の説明では、反射部５２ａ、反射部５２ｂのそれぞれの形状が非球面である反射鏡５０を第３の実施形態に係るタブレット装置１０で用いる反射鏡の一例として説明したものの、第３の実施形態に係るタブレット装置１０において、反射部５２ａ、反射部５２ｂのそれぞれの形状が平面である反射鏡を用いても良い。